(57)【要約】      （修正有）【課題】照明シーンの切り替えによって、そのシーンに合った音楽を自動再生する。【解決手段】音楽照明システムは、複数の照明シーンに対応する照明光を出射可能な照明器具１１と、音楽を出力するスピーカー１３と、照明シーンを切り替えるための操作装置（操作端末２０および専用リモコン３０）とを備える。また、音楽照明システムは、操作装置の操作に基づく照明シーンの切り替えと連動して、スピーカーから出力される音楽を変更または停止させるように構成された制御部２３を備える。【選択図】図３
2020113522.tif 000002
【特許請求の範囲】
【請求項１】
複数の照明シーンに対応する照明光を出射可能な照明器具と、
音楽を出力するスピーカーと、
前記照明シーンを切り替えるための操作装置と、
前記操作装置の操作に基づく前記照明シーンの切り替えと連動して、前記スピーカーから出力される前記音楽を変更または停止させるように構成された制御部と、
を備える、音楽照明システム。
【請求項２】
前記スピーカーは、前記照明器具に搭載されている、請求項１に記載の音楽照明システム。
【請求項３】
前記制御部は、前記照明器具が消灯状態とされたとき、あるいは前記照明シーンが特定のシーンに切り替えられたときに、前記音楽の出力を停止させる、請求項１または２に記載の音楽照明システム。
【請求項４】
前記操作装置には、消灯ボタンおよび前記照明シーンの切り替えボタンが設けられた専用リモコンが含まれ、
前記専用リモコンにより操作可能な前記照明器具のグループが複数存在し、
前記消灯ボタン、あるいは前記切り替えボタンの通常操作と異なる特定操作が実行されたときに、全ての前記グループの前記照明器具を消灯させる、あるいは前記照明シーンの切り替えを行うように構成されたリモコン制御部を備える、請求項１〜３のいずれか１項に記載の音楽照明システム。
【発明の詳細な説明】
【技術分野】
【０００１】
本開示は、音楽照明システムに関する。
【背景技術】
【０００２】
従来、リラックスし易い照明シーン、映画の視聴に適した照明シーン、勉強に適した照明シーンなど、複数の照明シーンに対応する照明光を出射可能に構成された照明装置が知られている。また、音楽を出力するスピーカーを備えた照明装置も知られている。例えば、特許文献１には、天井等に取り付けられる装置であって、スピーカーに照明手段が一体化されたオーディオ装置が開示されている。また、特許文献１には、照明を暗くした場合に、照明の光量に応じてスピーカーの音量を下げる手段が記載されている。
【先行技術文献】
【特許文献】
【０００３】
【特許文献１】特開２００８−３５１３３号公報
【発明の概要】
【発明が解決しようとする課題】
【０００４】
ところで、スピーカーを備えた照明装置、或いは照明手段を備えたオーディオ装置において、再生される音楽はユーザーの操作により任意に変更できる。照明シーンの切り替えが可能である場合、ユーザーは照明シーンを切り替えた際に、スピーカーから流れる音楽をそのシーンに合った音楽に変更することが想定される。このとき、従来の装置では、照明シーンの切り替え操作と、音楽の再生操作を行わなければならず、使い勝手が悪い。
【課題を解決するための手段】
【０００５】
本開示の一態様である音楽照明システムは、複数の照明シーンに対応する照明光を出射可能な照明器具と、音楽を出力するスピーカーと、照明シーンを切り替えるための操作装置と、操作装置の操作に基づく照明シーンの切り替えと連動して、スピーカーから出力される音楽を変更または停止させるように構成された制御部とを備える。
【発明の効果】
【０００６】
本開示に係る音楽照明システムによれば、照明シーンの切り替えによって、そのシーンに合った音楽が自動再生される。或いは、照明シーンの切り替えによって、音楽の再生が自動的に停止される。このため、照明シーンの切り替え操作の度に、そのシーンに合った音楽を選択して再生または停止の操作を行う必要がなく、ユーザーの負担が大きく軽減される。
【図面の簡単な説明】
【０００７】
【図１】実施形態の一例である音楽照明システムを示す図である。
【図２】実施形態の一例である音楽照明システムの変形例を示す図である。
【図３】実施形態の一例である音楽照明システムの構成を示すブロック図である。
【図４】実施形態の一例である音楽照明システムにおいて、照明シーンの切り替えに関する制御手順を示すフローチャートである。
【図５】実施形態の一例である音楽照明システムにおいて、専用リモコンによる消灯操作に関する制御手順を示すフローチャートである。
【発明を実施するための形態】
【０００８】
以下、図面を参照しながら、本開示に係る音楽照明システムの実施形態について詳細に説明する。但し、本開示は以下で説明する実施形態に限定されない。
【０００９】
本開示の装置およびシステムの主体は、コンピュータを備える。このコンピュータがプログラムを実行することによって、本開示の装置およびシステムの主体の機能が実現される。コンピュータは、プログラムに従って動作するプロセッサを主なハードウェア構成として備える。プロセッサは、プログラムを実行することによって上記機能を実現することができれば、その種類は問わない。プロセッサは、集積回路（ＩＣ）または大規模集積回路（ＬＳＩ）を含む１つまたは複数の電子回路で構成される。複数の電子回路は、１つのチップに集積されていてもよく、複数のチップに設けられていてもよい。複数のチップは、１つの機器に集約されていてもよく、複数の機器に備えられていてもよい。また、プログラムは、コンピュータが読み取り可能なＲＯＭ、光ディスク、ハードディスクドライブ等の非一時的記憶媒体に記憶される。プログラムは、記憶媒体に予め格納されていてもよく、インターネット等を含む広域通信網を介して記憶媒体に供給されてもよい。
【００１０】
図１は、実施形態の一例である音楽照明システム１０を示す図である。図１に例示するように、音楽照明システム１０は、複数の照明シーンに対応する照明光を出射可能な照明器具１１と、照明シーンを切り替えるための操作装置とを備える。また、音楽照明システム１０は、音楽を出力するスピーカーを備える。図１に例示する形態では、操作装置として、操作端末２０および専用リモコン３０を備え、スピーカーとして、照明器具１１に搭載されたスピーカー１３を備える。
【００１１】
音楽照明システム１０は、照明シーンの切り替えと連動して、スピーカー１３から出力される音楽を変更または停止するように構成された制御部を備える。本実施形態では、操作端末２０に当該機能を有する制御部２３（後述の図３参照）が設けられている。なお、当該制御部の機能は、照明器具１１に設けられていてもよく、専用リモコン３０に設けられていてもよい。
【００１２】
音楽照明システム１０は、さらに、照明器具４０，４１を備える。照明器具１１，４０，４１は、例えば部屋の天井に設置される。図１に示す例では、照明器具１１がスピーカー１３付きのシーリングライト、照明器具４０が天井に埋め込まれたダウンライト、照明器具４１がダクトレールを備えたスポットライトまたはペンダントライトである。なお、音楽照明システム１０を構成する照明器具は、照明器具１１，４０，４１に限定されず、例えばラインライトやフロアライト、アッパーライトなどであってもよい。
【００１３】
音楽照明システム１０には、操作端末２０および専用リモコン３０により操作可能な照明器具のグループが複数含まれていてもよい。各グループを構成する照明器具は１つであってもよく、複数であってもよく、グループ毎にまたは照明器具毎に操作可能である。また、操作端末２０および専用リモコン３０により操作可能な照明器具のグループは、リビング、ダイニング、キッチン、寝室など、複数の場所に存在してもよい。照明器具１１，４０，４１は、共同して照明シーンを演出する１つのグループを構成していてもよく、別々のグループを構成していてもよい。音楽照明システム１０では、照明器具１１のみにスピーカー１３が搭載されているが、照明器具４０，４１にスピーカーが搭載されていてもよい。
【００１４】
図２は、音楽照明システム１０の変形例である音楽照明システム１０Ｘを示す図である。図２に例示する音楽照明システム１０Ｘでは、照明器具４０，４１，４２のいずれにもスピーカーが搭載されておらず、照明器具と別の機器としてスピーカー４３が設けられている。スピーカー４３は、音楽照明システム１０Ｘの専用スピーカーであってもよく、他の機器またはシステムのスピーカーとして兼用されるものであってもよい。この場合も、制御部２３の機能により、操作端末２０の操作に基づく照明シーンの切り替えと連動して、スピーカー４３から出力される音楽が自動的に変更または停止される。
【００１５】
以下、図３〜図５をさらに参照しながら、音楽照明システム１０を構成するスピーカー１３付きの照明器具１１、操作端末２０、および専用リモコン３０について、詳説する。図３は、音楽照明システム１０の構成を示すブロック図である。なお、以下で説明する構成は、音楽照明システム１０Ｘにも適用できる。
【００１６】
図３に例示するように、照明器具１１は、光源ユニット１２と、スピーカー１３と、操作端末２０および専用リモコン３０の操作信号を受信する受信部１４とを備える。また、照明器具１１は、光源ユニット１２に電力を供給する点灯回路１５と、スピーカー１３に伝送される電気信号（音源信号）を増幅するアンプ１６と、器具側制御部１７（以下、単に「制御部１７」とする）とを備える。操作端末２０および専用リモコン３０の操作信号は、例えばブルートゥース（登録商標）通信、ＺｉｇＢｅｅ（登録商標）通信、Ｗｉ−Ｆｉ（登録商標）通信、赤外線通信等の近距離無線通信により送信される。
【００１７】
光源ユニット１２は、複数の照明シーンに対応する照明光を出射可能に構成され、一般的に複数の光源で構成される。光源ユニット１２は、例えば半導体発光素子で構成される。好適な半導体発光素子は、ＬＥＤ（Light Emitting Diode）である。照明器具１１は、例えば略直方体形状の器具本体、および器具本体の幅方向両側から張り出した２枚のパネルを有し、器具本体からセンター光を、パネルからパネル光をそれぞれ出射可能である。点灯回路１５は、例えば抵抗素子、容量素子等を含む定電流回路である。点灯回路１５は、制御部１７から出力される制御信号に基づいて作動し、各照明シーンに対応する点灯モード、明るさ等に基づき光源ユニット１２に供給する電力を制御する。
【００１８】
スピーカー１３には、フルレンジスピーカーを用いることが好ましい。スピーカー１３は、例えば、ネオジウムマグネットを用いたスピーカーユニットを有する。スピーカー１３は、バスレフポートを有するバスレフ型であってもよい。照明器具１１には、器具本体の長手方向両側に２つのスピーカー１３が設置されているが、スピーカー１３の数や配置、仕様は特に限定されない。アンプ１６は、目的とする出力等に応じて適宜選定でき、その仕様等は特に限定されない。
【００１９】
制御部１７は、受信部１４を介して取得した操作信号に基づいて制御信号を生成し、当該信号を点灯回路１５およびアンプ１６に出力するように構成されている。つまり、制御部１７は、操作端末２０および専用リモコン３０の操作信号に基づき、点灯回路１５を介して光源ユニット１２を制御し、アンプ１６を介してスピーカー１３を制御する。なお、アンプ１６には、制御信号と共に音源信号が出力される。受信部１４および後述の送信部２２は、上記近距離無線通信方式を用いて無線データ通信を行うための無線モジュールである。スピーカー１３およびアンプ１６を含むスピーカーモジュールは、操作端末２０から直接、音源信号を受信する無線モジュールを有していてもよい。
【００２０】
制御部１７は、例えばマイクロコンピュータで構成され、演算処理部であるプロセッサ（ＣＰＵ）、ＲＡＭ、ＲＯＭ等で構成される記憶部、および入出力ポートなどを有する。ＣＰＵは、記憶部に予め記憶された制御プログラムを読み出して実行する機能を有する。一般的に、制御部１７の機能は制御プログラムを実行することで実現される。記憶部は、ＣＰＵの処理に使用される情報等を一時的に記憶する機能と、制御プログラム、各種設定情報等を記憶する機能とを有する。
【００２１】
操作端末２０は、ユーザーにより操作される操作部２１と、照明器具１１，４０，４１に操作信号を送信する送信部２２と、操作部２１の操作に基づく操作信号を生成する制御部２３とを備える。制御部２３で生成された操作信号は、送信部２２を介して照明器具１１等に送信される。制御部２３は、制御部１７と同様にマイクロコンピュータで構成され、ＣＰＵ、記憶部２７等を有する。制御部２３は、例えば、操作部２１の操作によりＯＮとなるスイッチのトリガー信号を処理して当該操作に対応する操作信号を生成する。
【００２２】
操作端末２０の好適な一例は、スマートフォンである。操作端末２０は、タッチパネル２８（図１参照）を備え、操作部２１は音楽照明システム１０を起動して操作画面を開いたときにタッチパネル２８に表示される。操作部２１は、例えば操作画面に表示される、各照明シーンを表す複数のアイコンである。なお、操作端末２０はスマートフォンに限定されず、タブレット端末、パソコンなどであってもよい。本実施形態では、スピーカー１３から出力される音楽の再生、停止は操作端末２０によって操作され、専用リモコン３０は照明シーンの切り替え操作のみを行うことができる。
【００２３】
制御部２３は、照明シーンを切り替えるための照明シーン切り替え手段２４と、スピーカー１３から音楽を出力する、またはスピーカー１３から出力されている音楽を停止させるための音楽再生停止手段２５とを備える。スピーカー１３から出力される音楽のデータ（音源）は、例えば操作端末２０に記憶されている。制御部２３の各手段の機能は、操作端末２０にインストールされたアプリケーションソフトウェア（応用ソフト、または単にアプリとも呼ばれる）により実行されることが好ましい。
【００２４】
照明シーン切り替え手段２４は、操作部２１による照明シーンの切り替え操作に基づいて、当該操作に対応する操作信号（以下、「操作信号Ｓ１」とする）を生成し、送信部２２を介して照明器具１１，４０，４１に出力する。タッチパネル２８は、操作部２１（アイコン）を押下することでＯＮになるスイッチを有する。照明シーン切り替え手段２４は、照明シーンの切り替え操作が実行されたときに、当該操作によりＯＮとなるスイッチのトリガー信号を処理し、操作信号Ｓ１を生成する。
【００２５】
照明シーンの例としては、リラックスし易い照明シーン（くつろぎ）、映画の視聴に適した照明シーン（シアター）、勉強に適した照明シーン（勉強）、食事や会話、読書、テレビの視聴等に適した照明シーン（だんらん）などが挙げられる。シーリングライト、ラインライト、およびフロアライトを含むグループ１において、各照明シーンにおける各照明器具の点灯モードの一例を表１に示す。なお、ユーザーによる照明シーンの設定が可能であってもよい。
【００２６】
【表１】
2020113522.tif 000003
【００２７】
制御部２３は、さらに、照明シーン毎に再生する音楽を設定するための音楽設定手段２６を備える。音楽設定手段２６は、例えば、操作端末２０のタッチパネル２８に照明シーン毎に曲を設定するための設定画面を表示させる。ユーザーは当該設定画面で照明シーン毎に再生したい曲を設定でき、音楽設定手段２６はユーザーの設定操作に基づく音楽設定情報を記憶部２７に記憶させる。音楽設定情報には、照明シーン毎に再生される曲だけでなく、音量、音質等の情報が含まれていてもよい。
【００２８】
音楽設定手段２６によって設定される照明シーン毎の音楽設定情報の一例を表２に示す。１つの照明シーンに複数の曲が設定されてもよく、異なる照明シーンにおいて同じ曲が設定されてもよい。また、消灯状態（シーン番号６：消灯専用）では音楽の再生を停止するものとし、音楽設定手段２６による任意の設定ができない構成としてもよい。一方で、任意に設定できるシーン（例えば、シーン番号２）を消灯に設定し、曲Ａの再生を行ってもよい。この場合、日中、消灯状態で音楽を再生したい時にはシーン番号２を選択し、外出時や就寝時に音楽再生を停止したい時はシーン番号６を選択する等、消灯を使い分けることができる。
【００２９】
【表２】
2020113522.tif 000004
【００３０】
音楽照明システム１０では、制御部２３の機能により、照明シーンの切り替えと連動してスピーカー１３から出力される音楽（曲）が自動的に変更されるが、当該制御モード（以下、「連動モード」とする）の実行はユーザーにより選択可能であることが好ましい。制御部２３は、例えば、操作部２１による制御モードの設定操作に基づいて、連動モードのＯＮ／ＯＦＦを実行するように構成されていてもよい。
【００３１】
音楽再生停止手段２５は、操作部２１による音楽の再生や停止、音量変更等の操作に基づいて、当該操作に対応する操作信号を生成し、送信部２２を介して照明器具１１に出力する。さらに、音楽再生停止手段２５は、照明シーンの切り替えと連動して、スピーカー１３から出力される音楽を変更または停止させる。音楽再生停止手段２５は、例えば、照明シーンの切り替え操作に基づく信号（スイッチＯＮによるトリガー信号）、または照明シーン切り替え手段２４により操作信号Ｓ１が生成されたときに、照明シーン毎に予め定められた音楽を再生させるための操作信号（以下、「操作信号Ｓ２」とする）を生成する。
【００３２】
音楽再生停止手段２５は、上記連動モードがＯＮである場合に、操作信号Ｓ２を生成、出力するように構成されていてもよい。即ち、連動モードがＯＮである場合は、照明シーンの切り替えと連動して、スピーカー１３から出力される音楽が自動的に変更または停止される。他方、連動モードをＯＦＦにすれば、照明シーンの切り替えと、スピーカー１３からの音楽の再生等を独立に操作することができる。
【００３３】
音楽再生停止手段２５は、照明シーンの切り替え操作に基づいて、音楽設定手段２６によって予め設定された音楽設定情報を読み出し、切り替えられた照明シーンに対応する音楽を再生させる操作信号Ｓ２を生成、出力する。音源が操作端末２０に記憶されている場合、音楽再生停止手段２５は、送信部２２を介して操作信号Ｓ２と共に音源信号を照明器具１１に送信する。なお、音源は、音楽設定手段２６による曲の設定時等において照明器具１１に送信され、照明器具１１に予め記憶されていてもよい。
【００３４】
音楽再生停止手段２５は、例えば照明シーンがくつろぎシーンからだんらんシーンに切り替えられる場合、当該切り替え操作に基づくトリガー信号、または操作信号Ｓ１を取得したことを条件として、スピーカー１３から出力されていた曲Ａを曲Ｂに変更する。具体的には、曲Ｂを再生するための操作信号Ｓ２を生成し、曲Ｂの音源信号と共に送信部２２を介して照明器具１１に出力する。
【００３５】
制御部２３は、照明器具１１等が消灯状態とされたとき、および照明シーンが特定のシーンに切り替えられたときに、音楽の出力を停止させることが好ましい。音楽再生停止手段２５は、例えば照明シーンが勉強シーン、シアターシーン等の特定のシーンに切り替えられるときに音楽が再生されている場合、その音楽を停止させるための信号を出力する。また、音楽再生停止手段２５は、照明器具１１等の消灯操作に基づいて、当該操作時に音楽が再生されている場合、その音楽を停止させるための信号を出力する。
【００３６】
専用リモコン３０は、照明シーンの切り替え操作および消灯操作のみを行う操作装置であって、照明シーン切り替えボタン３１および消灯ボタン３２を備える。また、専用リモコン３０は、照明シーン切り替えボタン３１および消灯ボタン３２の操作に基づく操作信号を生成、出力するためのリモコン制御部３３および送信部（図示せず）を備える。照明シーン切り替えボタン３１は、例えば設定可能な照明シーンの数と同数設けられる。専用リモコン３０は、操作対象の照明グループを選択するためのグループ選択ボタン（図示せず）を備えていてもよい。
【００３７】
リモコン制御部３３は、消灯ボタン３２の通常操作と異なる特定操作が実行されたときに、全てのグループの照明器具を消灯させるように構成されていてもよい。ここで、通常操作とは一般的に行われる操作態様（短押し操作）を意味し、特定操作とは所定時間を超える長押し操作、所定時間内の複数回操作など、通常操作と区別される特殊な操作態様を意味する。リモコン制御部３３は、例えば消灯ボタン３２の通常操作に基づいて、選択された特定のグループの照明器具を消灯させるための操作信号を出力し、特定操作に基づいて、全てのグループの照明器具を消灯させるための操作信号を出力する。この場合、グループ毎に消灯操作を行わなくても、１回の操作で全てのグループの照明器具を一括消灯できる。
【００３８】
また、リモコン制御部３３は、照明シーン切り替えボタン３１の通常操作と異なる特定操作が実行されたときに、全てのグループの照明シーンを切り替えるように構成されていてもよい。リモコン制御部３３は、例えば照明シーン切り替えボタン３１の通常操作に基づいて、選択された特定のグループの照明シーンを切り替える操作信号を出力し、特定操作に基づいて、全てのグループの照明シーンを切り替える操作信号を出力する。この場合、グループ毎に照明シーンの切り替え操作を行わなくても、１回の操作で全てのグループの照明シーンを一括で変更できる。
【００３９】
なお、音楽照明システム１０は、専用リモコン３０による照明シーンの切り替え操作と連動して、スピーカー１３から出力される音楽を変更または停止させるように構成されていてもよい。例えば、操作端末２０が専用リモコン３０による照明シーンの切り替え操作の信号を取得し、制御部２３が、当該切り替え操作の信号に基づき、送信部２２を介して操作信号Ｓ２と共に音源信号を照明器具１１に送信してもよい。
【００４０】
図４は、上述の構成を備えた音楽照明システム１０において、照明シーンの切り替えに関する制御手順を示すフローチャートである。
【００４１】
音楽照明システム１０では、上述の通り、照明シーンの切り替えと連動して、スピーカー１３から出力される音楽が自動的に変更または停止される。この制御を実行するためには、まず照明シーン毎に再生する音楽（曲）を設定する必要がある（Ｓ１０）。この手順は、音楽設定手段２６の機能により実行される。音楽設定手段２６は、ユーザーの設定操作に基づいて、スピーカー１３から出力される音楽設定情報を照明シーン毎に記憶する。このとき、各照明シーンで使用される音源を予め照明器具１１に送信して記憶させてもよい。
【００４２】
制御部２３は、照明シーンの切り替え操作によるトリガー信号を取得したときに（Ｓ１１）、照明シーンを切り替えるための操作信号Ｓ１を生成すると共に、スピーカー１３から出力される音楽を変更するための操作信号Ｓ２を生成する（Ｓ１２，Ｓ１３）。Ｓ１２は照明シーン切り替え手段２４の機能により実行され、Ｓ１３は音楽再生停止手段２５の機能により実行される。操作信号Ｓ１は送信部２２を介して照明器具１１，４０，４１に出力され、操作信号Ｓ２は送信部２２を介して照明器具１１に出力される。
【００４３】
制御部２３は、例えば照明シーンがくつろぎシーンからだんらんシーンに切り替えられる場合、曲Ａに代えて曲Ｂを再生するための操作信号Ｓ２を生成し、曲Ｂの音源信号と共に送信部２２を介して照明器具１１に出力する（上記表１，２参照）。他方、制御部２３は、例えば照明シーンがくつろぎシーンから、勉強シーン、シアターシーン等の特定のシーンに切り替えられる場合、または照明器具１１等を消灯させる場合、曲Ａの再生を停止するための操作信号Ｓ２を生成、出力する。なお、上記連動モードがＯＦＦである場合、Ｓ１２のみが実行され、Ｓ１３は実行されない。
【００４４】
図５は、専用リモコン３０による消灯操作に関する制御手順を示すフローチャートである。図５に例示するように、専用リモコン３０において消灯ボタン３２の特定操作が実行されたときに（Ｓ２０）、全てのグループの照明器具を消灯させる（Ｓ２１）。一方、消灯ボタン３２の通常操作が実行された場合は、選択された１つのグループの照明器具のみが消灯される（Ｓ２２）。リモコン制御部３３は、例えば特定操作に基づくトリガー信号を取得したときに、全てのグループの照明器具を消灯させるための信号を生成し、送信部を介して全てのグループの照明器具に出力する。
【００４５】
以上のように、音楽照明システム１０によれば、照明シーンの切り替えによって、そのシーンに合った音楽が自動再生されるか、または音楽の再生が自動的に停止される。このため、ユーザーは照明シーンの切り替え操作の度に、そのシーンに合った音楽を選択して再生または停止の操作を行う必要がない。また、専用リモコン３０の特定操作により、グループ毎に消灯操作または照明シーンの切り替え操作を行わなくても、１回の操作で全てのグループの一括消灯または照明シーンの一括変更が可能である。
【符号の説明】
【００４６】
１０，１０Ｘ  音楽照明システム、１１，４０，４１，４２  照明器具、１２  光源ユニット、１３，４３  スピーカー、１４  受信部、１５  点灯回路、１６  アンプ、１７  器具側制御部、２０  操作端末、２１  操作部、２２  送信部、２３  制御部、２４  照明シーン切り替え手段、２５  音楽再生停止手段、２６  音楽設定手段、２７  記憶部、２８  タッチパネル、３０  専用リモコン、３１  照明シーン切り替えボタン、３２  消灯ボタン、３３  リモコン制御部
【図１】
2020113522.tif 000005
【図２】
2020113522.tif 000006
【図３】
2020113522.tif 000007
【図４】
2020113522.tif 000008
【図５】
2020113522.tif 000009